(57)【要約】【課題】  浴室ユニットの外周と建物躯体間の隙間が狭い現場においても、室内側より断熱シートを良好に施工することのできる断熱性を有する浴室ユニットの構築方法を提供する。【解決手段】  床パン２上に複数の支柱３，３，３を建て、この複数の支柱３，３，３の室外側に亘って、浴室ユニット１の内側より断熱シート５，５，５，５を張設した後、支柱３，３の裏内側から壁パネルを固定して、壁パネルの裏面と断熱シート５間に空気層を形成させて断熱構造の浴室ユニットを構築する。【選択図】        図１
2006009323.tif 000002
【特許請求の範囲】
【請求項１】
床パン上に複数の支柱を建て、該複数の支柱の室外側に亘って断熱シートを張設した後、前記支柱の裏内側から壁パネルを固定して、該壁パネルの裏面と前記断熱シート間に空気層を形成させることを特徴とする断熱性を有する浴室ユニットの構築方法。
【請求項２】
裏補強フレームを備えた複数枚の壁パネルを床パン上に組んで構成される浴室ユニットにおいて、前記１つの壁パネルの裏補強フレームの縦桟に断熱シートの一端を貼り、壁パネルを組みながら２以上の壁パネルの裏に跨がり前記断熱シートを巻き付けて、該断熱シートの他端を別の壁パネルの裏に貼り、複数の壁パネルの裏面全体を断熱シートで覆うことを特徴とする断熱性を有する浴室ユニットの構築方法。
【請求項３】
ユニット全体を覆うことが可能な長さの断熱シートの一端をドア一端側の壁パネルの裏に貼り、該断熱シートの他端をドア他端側の壁パネルの裏に貼ったことを特徴とする請求項２に記載の断熱性を有する浴室ユニットの構築方法。
【発明の詳細な説明】
【技術分野】
【０００１】
本発明は、断熱性を有する浴室ユニットの構築方法に関するものである。
【背景技術】
【０００２】
従来、特許文献１に開示されているように、複数枚の保温シートを連結して浴室ユニットの周壁を覆う断熱構造が存在する。
【特許文献１】実公平７−２１７３８号公報
【発明の開示】
【発明が解決しようとする課題】
【０００３】
特許文献１の断熱構造では、保温シートの施工は、浴室ユニットの周壁を組み立てた後に行われ、保温シートの上縁端部を周壁の上縁部に貼着し、保温シートを下方側に向かって垂らしてゆく施工方法であるため、浴室ユニットの外側からの施工作業となり、浴室ユニットの外周と建物躯体間の隙間が狭い現場では、保温シートの施工作業が行えない場合が生ずるという問題点があった。
【課題を解決するための手段】
【０００４】
本発明は上記従来の問題点に鑑み案出したものであって、建物躯体との隙間が狭い現場においても良好に浴室ユニットの内側から断熱シートを施工することのできる断熱性を有する浴室ユニットの構築方法を提供せんとするものであり、その請求項１は、床パン上に複数の支柱を建て、該複数の支柱の室外側に亘って断熱シートを張設した後、前記支柱の裏内側から壁パネルを固定して、該壁パネルの裏面と前記断熱シート間に空気層を形成させることである。
また、請求項２は、裏補強フレームを備えた複数枚の壁パネルを床パン上に組んで構成される浴室ユニットにおいて、前記１つの壁パネルの裏補強フレームの縦桟に断熱シートの一端を貼り、壁パネルを組みながら２以上の壁パネルの裏に跨がり前記断熱シートを巻き付けて、該断熱シートの他端を別の壁パネルの裏に貼り、複数の壁パネルの裏面全体を断熱シートで覆うことである。
また、請求項３は、ユニット全体を覆うことが可能な長さの断熱シートの一端をドア一端側の壁パネルの裏に貼り、該断熱シートの他端をドア他端側の壁パネルの裏に貼ったことである。
【発明の効果】
【０００５】
本発明の断熱性を有する浴室ユニットの構築方法は、床パン上に複数の支柱を建て、支柱の室外側に亘って先ず断熱シートを張設し、その後に裏内側に壁パネルを組んでゆく方法であるため、施工を浴室ユニットの内側から全て行うことができ、浴室ユニットの外周と建物躯体間の隙間が狭い現場においても良好に断熱シートを施工して、断熱構造の浴室ユニットを構築できるものとなる。
【０００６】
また、裏補強フレームを備えた複数枚の壁パネルを床パン上に組んで構成される浴室ユニットにおいて、１つの壁パネルの裏補強フレームの縦桟に断熱シートの一端を貼り、壁パネルを組みながら２以上の壁パネルの裏に跨がり断熱シートを巻き付けて、断熱シートの他端を別の壁パネルの裏に貼り、複数の壁パネルの裏面全体を断熱シートで覆うこととしたため、壁パネルを組みながら徐々に壁パネルの裏に断熱シートを巻き付けてゆき、壁パネルの裏面全体を断熱シートで覆うことができて、浴室ユニットの内側からの施工作業となり、建物躯体との隙間が狭い現場においても良好に浴室ユニットの外周に断熱シートを施工することができるものとなる。
【０００７】
また、ユニット全体を覆うことが可能な長さの断熱シートの一端をドア一端側の壁パネルの裏に貼り、断熱シートの他端をドア他端側の壁パネルの裏に貼ったことにより、１枚の断熱シートの一端をドアの一端側の壁パネルの裏に予め貼り付けておき、壁パネルを組み付けながら壁パネルの裏側に断熱シートを徐々に巻き付けてゆき、断熱シートの他端をドア他端側の壁パネルの裏に貼着して、壁パネルの裏面全体を断熱シートで覆うことができ、断熱シートの施工作業を壁パネルを組みながら浴室ユニットの内側から良好に行うことができるものとなる。
【実施例】
【０００８】
以下、本発明の実施例を図面に基づいて説明する。
図１〜図３は第１実施例を示すものであり、図１に示すように、浴室ユニット１は、床パン２の外周に沿ってコーナー及び中間位置に複数本の支柱３，３，３を立設させ、それぞれの支柱３，３の上端間を上連結材４で連結して、先ず複数の支柱３，３を床パン２上に組み付ける。その後、各支柱３，３の裏側（室外側）に浴室ユニット１の室内側より断熱シート５を張設する。
【０００９】
図１では、４枚の断熱シート５をそれぞれ支柱３，３間に張設して、４枚の断熱シート５，５，５，５で、ドア設置部Ｄを除く浴室ユニット１の外周全域を覆うように構成する。
なお、断熱シート５は、紙またはアルミニウムを蒸着したポリエチレンテレフタレートフイルム等で構成されている。
図２は、浴室ユニット１の４辺の支柱３，３の裏側に、それぞれ接着剤または両面テープを用いて断熱シート５，５，５，５を張設した状態の平面概略構成図である。
なお、図３は、コーナー部に立設された支柱３周辺の拡大平面構成図である。
【００１０】
支柱３は、略四角断面形状に形成され、壁パネル６の端部を差し込むために開口３ａが縦方向に形成されている。
また、壁パネル６は、支柱３，３間に断熱シート５，５，５，５を張設した後に、支柱３，３の内側に固定されるものであり、壁パネル６は、表面の化粧板７の裏側に石膏ボード８が設けられた構造で、化粧板７の横方向端部には、９０°折り曲げて先端折曲片７ａが形成されており、この先端折曲片７ａを、支柱３の開口３ａから支柱３の係止片３ｂの内側に係合させて、それぞれ壁パネル６を支柱３，３間に固定することができるものである。
なお、壁パネル６，６を支柱３に固定した後に、支柱３の開口３ａには目地９が充填されて、開口３ａが塞がれるものである。
【００１１】
このような施工方法では、浴室ユニット１の内側から、支柱３を立設した後に、支柱３の裏側に断熱シート５を張設し、その後に浴室ユニットの内側から支柱３に壁パネル６を固定して、全て浴室ユニット１の内側から施工することができるため、浴室ユニットの外周と建物躯体間の隙間が狭い現場においても、外側からの作業がないため、良好に断熱シート５及び壁パネル６を施工することができるものであり、施工後においては、図３に示すように、壁パネル６の裏面と断熱シート５間には空気層Ｓが形成されるため、この空気層Ｓが良好な断熱効果を発揮するものとなる。
【００１２】
なお、図４は第１実施例の変更例を示すものであり、図４では、１枚の断熱シート５が用いられ、この断熱シート５は、予め浴室ユニット１の外周全体を覆うことができる長さに設定しておき、先ず、ドア設置部Ｄの一端側の支柱３に断熱シート５の一端５ａを貼り付けて、その状態で断熱シート５を各支柱３の裏側を回して各支柱３の全体の裏面に張設し、断熱シート５の他端側をドア設置部Ｄの他端側の支柱３に貼着して、ドア設置部Ｄを除く全周を１枚の断熱シート５で覆うことができ、その後に、内側より各支柱３，３間に壁パネル６を固定して施工することができるものであり、全て内側から施工作業を行うことができ、良好な断熱構造の浴室ユニット１を構築することができるものとなる。
【００１３】
次に、図５〜図８は第２実施例を示すものであり、本例では、壁パネル６は、裏面に縦桟１０ａと横桟１０ｂで構成される裏補強フレーム１０が設けられた構造であり、複数の壁パネル６を床パン２上に組んで浴室ユニット１が構成され、第１実施例のような支柱３は存在しない浴室ユニットに関するものである。
【００１４】
なお、断熱シート５は紙またはアルミニウム蒸着したポリエチレンテレフタレートフイルム等で構成されており、浴室ユニット１の４辺のそれぞれを覆う４枚の断熱シート５を用いても、また２枚の断熱シート５を用いても良いが、本例では、予め浴室ユニット１の全体を覆うことが可能な長さの１枚の断熱シート５を用いた場合を例示しており、断熱シート５の一端５ａを図５，図６及び図７に示すように、ドアＤの左端側に立設される壁パネル６の右端側の縦桟１０ａに接着剤または両面テープを用いて貼着しておき、徐々に右回りで壁パネル６，６，６を連結させながら組み付けてゆき、壁パネル６の組み付けに沿ってその裏側に断熱シート５を巻き付けてゆき、最終的には図５に示すように、ドアＤの右端側に配置される壁パネル６の左端側の縦桟１０ａに断熱シート５の他端５ｂを貼着することで、複数の壁パネル６，６の裏側全体を断熱シート５で覆うものである。
【００１５】
なお、図８の拡大平面図で示すように、各壁パネル６，６は、縦桟１０ａ，１０ａの外側に連結材１１を嵌合させることで、各壁パネル６，６が連結されてゆき、この連結材１１の裏側を跨ぐようにして断熱シート５が巻き付けられてゆき、断熱シート５と壁パネル６の裏面間に空気層Ｓが形成されるものである。
なお、２枚あるいは４枚の断熱シート５を用いて施工する場合においても、各断熱シート５が、２以上の壁パネル６，６を連結する連結材１１の裏側に跨がり張設されるようにすることで、隙間のない空気層Ｓを形成させることができるものである。
【００１６】
本例においても、床パン２上に壁パネル６を次々と連結させて組み付けながら、徐々に組み付けた壁パネル６の裏側に断熱シート５を巻き付けて施工してゆくことができ、断熱シート５及び壁パネル６の施工全てを浴室ユニット１の内側より行うことができ、浴室ユニット１の外周と建物躯体間の隙間の狭い現場においても良好に断熱シート５を施工することができ、良好な断熱構造の浴室ユニット１を構築することができるものとなる。
【図面の簡単な説明】
【００１７】
【図１】第１実施例の浴室ユニットの支柱の裏側に断熱シートを張設する前の分解斜視構成図である。
【図２】支柱の裏側に断熱シートを張設した平面構成図である。
【図３】コーナー部の支柱に張設された断熱シートの内側に壁パネルが固定された要部平面拡大構成図である。
【図４】第１実施例の変更例を示す１枚の断熱シートで外周を覆う施工状態の斜視構成図である。
【図５】第２実施例の補強フレームを有する壁パネルの裏側に断熱シートを施工する平面構成図である。
【図６】断熱シートの一端を壁パネルの裏補強フレームの縦桟に貼着する前の施工説明図である。
【図７】さらに図６の要部を拡大して示す斜視構成図である。
【図８】２枚の壁パネルの裏側に跨がって断熱シートが張設された状態の平面拡大構成図である。
【符号の説明】
【００１８】
１  浴室ユニット
２  床パン
３  支柱
３ａ  開口
３ｂ  係止片
４  上連結材
５  断熱シート
５ａ  一端
５ｂ  他端
６  壁パネル
７  化粧板
７ａ  先端折曲片
８  石膏ボード
９  目地
１０  裏補強フレーム
１０ａ  縦桟
１０ｂ  横桟
１１  連結材
Ｄ  ドア（ドア設置部）
Ｓ  空気層
【図１】
2006009323.tif 000003
【図２】
2006009323.tif 000004
【図３】
2006009323.tif 000005
【図４】
2006009323.tif 000006
【図５】
2006009323.tif 000007
【図６】
2006009323.tif 000008
【図７】
2006009323.tif 000009
【図８】
2006009323.tif 000010